(57)【要約】【課題】  幕を収納する際に、必要に応じて最終収納位置の手前で一旦止めてその位置を保持できるばかりでなく、その必要が無くなれば、止めた幕の保持を解除し、最終収納位置に簡単に移動させて収納できるようにする。【解決手段】  舞台３９の上方から吊下げ支持されたバトン３１と、このバトン３１に連結されたレール３２と、このレール３２に沿って移動可能に配置された複数のランナー３３と、この複数のランナー３３に吊下げられた幕３４とから構成されるとともに、上記幕３４が上記レール３２の最終収納位置に折り畳まれた状態で収納される幕３４の収納構造において、上記レール３２の上記最終収納位置よりも手前の任意の位置に、作動時に上記ランナー３３に設けた係止部材４５の移動軌跡上に突出して当接することでこのランナー３３の移動を阻止する移動阻止部材３６を設けてなる。【選択図】  図１
2010274032.tif 000002
【特許請求の範囲】
【請求項１】
舞台の上方から吊下げ支持されたバトンと、このバトンに連結されたレールと、このレールに沿って移動可能に配置された複数のランナーと、これらのランナーに吊下げられた幕とから構成されるとともに、上記幕が上記レールの最終収納位置に折り畳まれた状態で収納される幕の収納構造において、上記レールの上記最終収納位置よりも手前の任意の位置にその作動時に上記ランナーの移動軌跡上に突出して当接することでこのランナーの移動を阻止する移動阻止部材を設けたことを特徴とする幕の収納構造。
【請求項２】
上記最終収納位置が舞台の袖部に配置された舞台袖通路と対向する部分であり、上記手前の任意の位置は上記舞台袖通路と対向しない舞台側とされてなる請求項１に記載の幕の収納構造。
【請求項３】
上記複数のランナーのうち、最も端部側のランナーには係止部材が設けられ、この係止部材の移動軌跡上に上記移動阻止部材が突出して当接すしてなる請求項１に記載の幕の収納構造。
【請求項４】
上記係止部材がランナーに固定ボルトで固定された基部と、この基部を略直角に折曲形成してなる腕部とから構成されるとともに、この腕部の移動軌跡上に上記移動阻止部材が突出して当接してなる請求項３に記載の幕の収納構造。
【請求項５】
上記移動阻止部材が手動操作によって上記腕部の移動軌跡上に出没する一対のストッパピンを備えてなる請求項４に記載の幕の収納構造。
【発明の詳細な説明】
【技術分野】
【０００１】
この発明は、舞台で使用される緞帳等の幕の収納構造に関し、特に、開いた幕の舞台袖部への収納構造の改良に関する。
【背景技術】
【０００２】
劇場等の舞台で使用される緞帳等の幕は、舞台の開演や終了、または、演出によって開閉されるが、その具体的な開閉構造としては、たとえば、特許文献１に開示の提案がある。
【０００３】
すなわち、この特許文献１に開示されているところは、オペラカーテン等の吊物用開閉装置についてであるが、図７に示すように、オペラカーテンを構成する左右のカーテン部Ｃ１，Ｃ２は、舞台２０の前面となる客席（図示せず）側の中央部で若干オーバーラップする状態にして、開閉可能に懸吊されている。
【０００４】
このとき、図７中で符号２１，２２は、舞台２０の前面上方で中央部において若干オーバーラップするように該中央部からそれぞれ左右方向に水平に延設された一対の筒状カーテンレールを示し、この筒状カーテンレール２１，２２の各底板中央部に長手方向に伸びるスリット２１ａ，２２ａが形成されている。
【０００５】
そして、各筒状カーテンレール２１，２２のスリット２１ａ，２２ａにカーテン部Ｃ１，Ｃ２を吊下げるための吊下げレールランナー２３が転子２３ａを介して連繋され、各筒状カーテンレール２１，２２の両端部にブラケット２４ａを介して滑車２４が転動可能に取り付けられている。
【０００６】
また、上記の左右一対の滑車２４，２４を経由後に回動ドラム２６に少なくとも一巻きされた一組みのワイヤロープ２５Ａ，２５Ｂの両端部が上記のレールランナー２３のうちで先頭となる２個の吊下げランナー２３（図中に符号２３Ａ，２３Ｂで示す）に連結され、回動ドラム２６をギヤードモータ（図示せず）によって往復回動することで、カーテン部Ｃ１，Ｃ２を開閉駆動し得るとしている。
【先行技術文献】
【特許文献】
【０００７】
【特許文献１】特開平６‐２２９１３２公報（明細書中の段落０００２，同０００３，図２参照）
【発明の概要】
【発明が解決しようとする課題】
【０００８】
上記した特許文献１に開示の提案たるオペラカーテン等の吊物用開閉装置においては、特に問題がある訳ではないが、以下に示す課題が生じる場合がある。
【０００９】
すなわち、舞台の開演とともに開かれて収納される緞帳等の幕が上記したオペラカーテンのように左右方向に開かれる場合には、一般に、舞台の終了までその両袖部に収納される。
【００１０】
ところが、この舞台が開演されるホールが、たとえば、以下の構造を採用している場合、上記緞帳等の幕が舞台袖部に設けられた舞台袖部通路において、人等の移動を妨げる場合が想定される。
【００１１】
具体的には、平面図たる図８に示すように、図中で右側となる最も客席側となる舞台の側面に奈落等へ通じる階段４０を備えた階段室４１を設けると共に、この階段室４１から図中左側となる最も奥にある図示しない楽屋側へ上記舞台袖部通路４３を通って移動するような構造とされている場合、ホールの幅等によっては、舞台の開演によって収納された緞帳等の幕３４が上記舞台袖部通路４３を遮断してしまう場合がある。
【００１２】
この場合には、同じく平面図たる図９に示すように、上記舞台袖部通路４３を遮断しない手前の位置において、緞帳等の幕３４の収納が完了するようにレール部分３２の長さを変更すれば良いのであるが、この手前の位置と近接した部分に、たとえば、舞台に使用する側面反射板４７が回動可能に設けられている場合には、その側面反射板４７を矢印Ｒで示すように作動させるとき、上記緞帳等の幕３４に当って作動できない。
【００１３】
したがって、この場合には、舞台が終了するまでの間、上記した手前の位置に緞帳等の幕３４を一時的に置いておくことができない。
【００１４】
この発明は、上記した事情を勘案して創案されたものであって、その目的とするところは、緞帳等の幕を収納する際に、必要に応じて最終収納位置の手前で一旦止めてその位置を保持することができるばかりでなく、その必要が無くなれば、止めた幕の保持を解除し、最終収納位置に簡単に移動させて収納することができる構造を備えた幕の収納構造を提供することである。
【課題を解決するための手段】
【００１５】
上記した目的を達成するために、この発明による幕の収納構造の構成を、舞台の上方から吊下げ支持されたバトンと、このバトンに連結されたレールと、このレールに沿って移動可能に配置された複数のランナーと、これらのランナーに吊下げられた幕とから構成されるとともに、上記幕が上記レールの最終収納位置に折り畳まれた状態で収納される幕の収納構造において、上記レールの上記最終収納位置よりも手前の任意の位置に、作動時に上記ランナーの移動軌跡上に突出して当接することでこのランナーの移動を阻止する移動阻止部材を設けてなるとする。
【発明の効果】
【００１６】
この発明によれば、移動阻止部材を作動させてこの移動阻止部材をランナーの移動軌跡上に配置することで、最終収納位置に向かって収納されようとしている幕をこの最終収納位置よりも手前の任意の位置に一旦止めておくことができるばかりでなく、その必要が無くなれば、移動阻止部材を上記ランナーの移動軌跡上から退避させることで、一旦止めた幕の移動を可能とするので、この幕を上記最終収納位置に簡単に移動させて収納することができる。
【００１７】
したがって、この収納構造を、上記最終収納位置が舞台の舞台袖部通路上となるような多目的ホールに使用すれば、舞台袖部通路における人等の行き来をスムーズの行うことができるという優れた効果を発揮する。
【図面の簡単な説明】
【００１８】
【図１】この発明を具体化した実施の形態を示し、レール上に取り付けられた移動阻止部材の作動時の状態を示す一部破断側面図である。
【図２】図１における移動阻止部材の否作動時の状態を示す一部破断側面図である。
【図３】図１における正面図であって、移動阻止部材の作動状態を示す正面図である。
【図４】図３における移動阻止部材の否作動時の状態を示す正面図である。
【図５】この発明を具体化した舞台を示し、緞帳が最終収納位置に収納された状態を示す一部切欠平面図である。
【図６】図５の舞台において、緞帳が最終収納位置より手前の任意の位置に収納された状態を示す一部切欠平面図である。
【図７】従来技術を示すオペラカーテンの吊物用開閉装置を示す斜視図である。
【図８】従来技術の舞台を示す一部切欠平面図である。
【図９】図８に示す従来技術の舞台において、レール部分の長さを変更した状態を示す一部切欠平面図である。
【発明を実施するための形態】
【００１９】
以下に、図示した実施形態に基づいて、この発明を説明するが、図示するところは、この発明の幕の収納構造が多目的ホールの舞台に使用する緞帳の収納構造に具体化されてなる。
【００２０】
すなわち、図示する緞帳の収納構造は、図１および図３に示すように、舞台３９（図５および図６参照）の上方から吊下げ支持されたバトン３１（図３参照）と、このバトン３１に連結されたレール３２と、このレール３２に沿って移動可能に配置された複数のランナー３３（図１参照）と、これらのランナー３３に吊下げられた幕としての緞帳３４（図１参照）とから構成される。
【００２１】
そして、この緞帳の収納構造にあっては、上記緞帳３４が上記レール３２の最終収納位置に折り畳まれた状態で収納されるもので、上記レール３２の上記最終収納位置よりも手前の任意の位置に、作動時に上記ランナー３３の移動軌跡上に突出して当接することでこのランナー３３の移動を阻止する移動阻止部材３６（図１参照）を有している。
【００２２】
以下、上記多目的ホールの構造と併せてさらに詳述すると、図５および図６に示すように、この多目的ホール３８は、各図中で右側たる最も客席側となる舞台３９の一側面に奈落等へ通じる階段４０を備えた階段室４１が設けられると共に、この階段室４１は、扉４２を介して舞台袖部通路４３に通じている。
【００２３】
そして、この舞台袖部通路４３は、舞台３９の最も奥にある楽屋側（図示なし）へ通じており、上記奈落等とこの楽屋室との間の行き来は、上記階段４０，階段室４１および舞台袖部側通路４３を経由して行われる。
【００２４】
一方、上記バトン３１に連結されたレール３２は、この舞台３９の最前列に配置されており、その端部は、舞台袖部通路４３の上方まで延設されて舞台３９の側壁３９ａに近接する状態に配置され、これによって、上記多目的ホール３８では、上記舞台袖部通路４３上が緞帳３４の最終収納位置となっている。
【００２５】
上記レール３２は、図１および図２に示すように、本体３２ａと、この本体３２ａから下方に延設されて下端に左右一対のレール部３２ｂを有する延長部３２ｃとで形成されている。
【００２６】
そして、このレール３２は、図３および図４に示すように、ボルト３７およびナット（図示せず）によりバトン３１を挟持する挟持片３５ａと、上記本体３２ａに対してボルト３７およびナット（図示せず）により固定された連結片３５ｂとから構成された複数個の連結具３５を介して連結固定されている。
【００２７】
図１および図２に示すように、上記ランナー３３は、断面コの字状をなす枠体３３ａと、この枠体３３ａ内に回動可能に軸支されるとともに、上記左右一対のレール部３２ｂをそれぞれ上下に挟むように配置された上下二対のローラ３３ｂとを備えており、枠体３３ａの下面にはマスターランナー４４を介して上記緞帳３４が吊下げ支持されている。
【００２８】
上記ランナー３３のうち、最も端部側となるランナー３３には、図１および図２に示すように、その枠体３３ａの舞台側側面に対して固定ボルト４５ｃで固定された基部４５ａと、この基部４５ａの上部を上記舞台側に向かって略直角に折曲形成してなる腕部４５ｂとから構成された係止部材４５が取り付けられており、この腕部４５ｂの移動軌跡上に後述するストッパピンが突出して当接することで、このランナー３３の移動を阻止する。
【００２９】
上記移動阻止部材３６は、図５に示すように、上記手前の任意の位置としての上記舞台袖通路４３と対向しない舞台３９側に設けられると共に、その前方内側には側面反射板４７が回動可能に設けられている。
【００３０】
そして、移動阻止部材３６は、図１乃至図４に示すように、上記本体３２ａにボルト３７およびナットプレート３７ｂにより固定されて舞台側に向かって延設された板状の連結板３６ａと、この連結板３６ａの先端に取り付けられて上下方向に向かって延設された板状の取付板３６ｂと、この取付板３６ｂに設けられたストッパピン操作部４８とから構成されている。
【００３１】
このストッパピン操作部４８は、上記取付板３６ｂにボルト３７留めされた上側および下側ガイド板５８ａ，５８ｂを備えたコの字状をなすガイド金具５８と、上記取付板３６ｂの下端を客席側に屈曲形成してなる基板３６ｃと、これら上下ガイド板５８ａ，５８ｂおよび基板３６ｃを貫通するよう挿入配置された左右一対のストッパピン５９と、下側ガイド板５８ｂおよび基板３６ｃ間におけるストッパピン５９の外周に配置されるとともに、その附勢力で常に上記ストッパピン５９を上方へ押圧附勢するコイルスプリング６０と、両ストッパピン５９間に設けられるとともに、基板３６ｃに穿設された固定孔３６ｄ（図１および図２参照）に挿入可能に配置されたプッシュキャッチ６１（図３および図４参照）とを備えている。
【００３２】
また、上記両ストッパピン５９の下端にはこれらを連結する連結板６２がナット６２ｂにより固定されており、この連結板６２の下面中央部には操作レバーを６３備えた操作ひも６４が取り付けられている。
【００３３】
したがって、この操作レバー６３を把持して下方に引っ張ると、上記両ストッパピン５９がコイルスプリング６０を圧縮させながら下降するとともに、プッシュキャッチ６１が固定孔３６ｄ内に挿入されることで、図２および図４に示すように、待機位置に固定され、再度操作レバー６３を下方に引っ張ることで上記プッシュキャッチ６１が挿入孔３６ｄから外れ、コイルスプリング６０の附勢力によってストッパピン５９が上昇して上側ガイド板５８ａを貫通した状態、すなわち、図１および図３に示すような作動位置に配置される。
【００３４】
なお、図示はしないが、上記ランナー３３は複数個がロープによって連結されるとともに、このロープがレール３２の端部においてプーリーを介してバトン３１上に配置された電動モータに巻回されており、この電動モータの駆動によって緞帳の開閉動作を行うリヤホールドランナー方式の電動式カーテンレール構造を採用している。
【００３５】
上記のように構成された本実施の形態の作用を説明すると、たとえば、舞台の公演が開始され、緞帳３４が開かれる場合には、上記電動モータを駆動させることで上記ロープを引っ張り、複数個のランナー３３を上記レール３２の最終収納位置へ向かって引き寄せることで、上記緞帳３４を折り畳みながら収納する。
【００３６】
このとき、上記移動阻止部材３６を作動位置、すなわち、図１および図３に示すような上記ストッパピン５９が上昇して上側ガイド板５８ａを貫通した状態にすると、このストッパピン５９は、最も端部側のランナー３３の上記腕部４５ｂの移動軌跡上に突出することになるので、最終収納位置に向かって収納途中となる最も端部側のランナー３３は、その腕部４５ｂがストッパピン５９に当接してこのランナー３３の移動が阻止される。
【００３７】
したがって、上記緞帳３４は、図６に示すように、上記舞台袖通路４３と対向しない舞台側に一時的に収納されることになるので、人等が上記舞台側通路４３を通過する際、この緞帳３４が邪魔にならない。
【００３８】
また、この状態の緞帳３４と近接した位置に設けられた側面反射板４７を図６中、矢印Ｒで示す方向へ回動させて使用状態とする場合には、上記移動阻止部材３６の操作レバー６３を把持して下方に引っ張ると、上記両ストッパピン５９がコイルスプリング６０を圧縮させながら下降するとともに、プッシュキャッチ６１が固定孔３６ｄ内に挿入されることで、図２，４に示すように、ストッパピン５９が待機位置に固定される。
【００３９】
すると、最も端部側のランナー３３の上記腕部４５ｂの移動軌跡上に突出していたストッパピン５９がなくなるので、上記電動モータを駆動させれば、舞台袖通路４３と対向しない舞台３９内側に一時的に収納されていた緞帳３４は図５に示す上記最終収納位置に収納される。
【００４０】
したがって、上記側面反射板４７を図５中、矢印Ｒで示す方向へ回動させれば、上記側面反射板４７は緞帳３４に当接することなく作動状態となる。
【００４１】
以上、詳述したように、本実施の形態によれば、上記移動阻止部材３６のストッパピン５９を作動させて上記ランナー３３の腕部４５ｂの移動奇跡上に配置することで、最終収納位置に収納途中の緞帳３４を、その最終収納位置よりも手前の任意の位置、すなわち、舞台袖部通路４３に対抗しない舞台３９内側に一旦止めておくことができるばかりでなく、その必要が無くなれば、ストッパピン５９を下降させて上記腕部４５ｂの移動奇跡から退避させることで、一旦止めた緞帳３４の移動を可能とするから、最終収納位置に簡単に移動させて収納できる。
【００４２】
また、上記移動阻止部材３６の構成として、手動操作によって上記腕部４５ｂの移動奇跡上にストッパピン５９を配置したので、簡単な構成で容易に実施化が可能である。
【００４３】
また、上記ストッパピン５９を、左右一対としたので、これらストッパピン５９間に腕部４５ｂを配置させるようにストッパピン５９を作動させれば、この一対のストッパピン５９で上記緞帳３４の移動を停止させる作用と、この停止状態を保持させる作用の両方を行える。
【００４４】
なお、本実施の形態では、上記移動阻止部材３６の構成を、左右一対のストッパピン５９と、これらストッパピン５９をコイルスプリング６０の弾性力を利用して上下方向に移動可能としたが、この構成に限定されるものではなく、ストッパピン５９は一個でも良く、また、ストッパピン５９を上下動可能とする構成も、電動式や油圧式、空圧式等に任意の構成を採用できる。
【００４５】
また、本実施の形態では、上記幕として緞帳３４を使用したが、この構成に限定あされるのではなく、他の幕に具体化しても良いことは勿論である。
【産業上の利用可能性】
【００４６】
多目的ホールの舞台に使用する緞帳の収納構造への具現化に向く。
【符号の説明】
【００４７】
３１  バトン
３２  レール
３３  ランナー
３４  幕たる緞帳
３６  移動阻止部材
３９  舞台
４３  舞台袖部通路
４５  係止部材
４５ａ  基部
４５ｂ  腕部
５９  ストッパピン
【図１】
2010274032.tif 000003
【図２】
2010274032.tif 000004
【図３】
2010274032.tif 000005
【図４】
2010274032.tif 000006
【図５】
2010274032.tif 000007
【図６】
2010274032.tif 000008
【図７】
2010274032.tif 000009
【図８】
2010274032.tif 000010
【図９】
2010274032.tif 000011